(57)【要約】【課題】  基礎に用いられる断熱材をシロアリによる食害から確実に防止でき施工も簡単な防蟻性能を有する基礎の構築方法を提供すること。【解決手段】  捨てコンクリート５上に一対の板状の断熱材（１１，２１）を所定距離隔てて立設させて型枠１０を形成し、防蟻用のメッシュシート材３０をその一端部３１が当該型枠１０の外側の断熱材１１と当該捨てコンクリート５との間を通って当該両断熱材（１１，２１）間のコンクリート充填空間１５に達しかつ他端部３２が当該外側断熱材１１の外方に配設される盛り土７から所定距離Ｌ２だけ突出するように当該型枠１０の外側断熱材１１の外表面１２に沿わせ、当該両断熱材（１１，２１）間のコンクリート充填空間１５にコンクリートを打設して基礎１の立ち上がり部２および内方の土間コンクリート３を形成する。【選択図】      図１
2006274545.tif 000002
【特許請求の範囲】
【請求項１】
防蟻構造を備えた基礎の構築方法において、
捨てコンクリート上に一対の板状の断熱材を所定距離隔てて立設させて型枠を形成し、防蟻用のメッシュシート材をその一端部が当該型枠の外側の断熱材と当該捨てコンクリートとの間を通って当該両断熱材間のコンクリート充填空間に達しかつ他端部が当該外側断熱材の外方に配設される盛り土から所定距離だけ突出するように当該型枠の外側断熱材の外側面に沿わせ、当該両断熱材間のコンクリート充填空間にコンクリートを打設して基礎の立ち上がり部および内方の土間コンクリートを形成してなる防蟻構造を備えた基礎の構築方法。
【発明の詳細な説明】
【技術分野】
【０００１】
本発明は、シロアリの食害被害を防除するのに好適な防蟻性能を有する基礎の構築方法に関する。
【背景技術】
【０００２】
最近、木造建物のシロアリ防除技術として、物理的工法（ケミカルフリー法）が注目されている（例えば、特許文献１参照）。この特許文献１に係る発明は、建物の外周部分に設けられた立ち上がり部５２と基礎 スラブ５３とを有するべた基礎５１ の立ち上がり部５２の外側面に密着した断熱材６１の内部をシロアリが通過して軸組及び床組へ侵入するのを物理的に防止する防蟻構造であって、当該断熱材５２の外側面をステンレスメッシュ８１で被覆したものとされている。このステンレスメッシュ８１は、シロアリの分泌物に耐性の耐腐食材料製とされかつ編み目の孔がシロアリ種の頭部最大寸法より小径とされている。
【特許文献１】特開２０００−１７９０６０号公報
【特許文献２】特開２０００−１１０２６８号公報
【発明の開示】
【発明が解決しようとする課題】
【０００３】
ところで、特許文献１の発明の場合、理論的には、シロアリの断熱材６１への入り込みはステンレスメッシュ８１で防止できるようにみえるが、実際は例えば図６に示すように、捨てコンクリート５５の上面は完全な平坦ではなく幾分の凹凸を有しており、断熱材６１（断熱材６１に密着するステンレスメッシュ８１）の下端が直線状に形成されていても、当該捨てコンクリート５５と断熱材６１（ステンレスメッシュ８１）の下端との間に隙間が開く部分が生じる。あるいは、図７および図８に示すように、捨てコンクリート５５の上面は平坦で形成されているが、断熱材６１（ステンレスメッシュ８１）の下端が直線状ではなく凹凸を有していれば、当該捨てコンクリート５５と断熱材６１（ステンレスメッシュ８１）の下端との間に隙間が開く部分が生じてしまう。そのため、現実には、シロアリは、捨てコンクリート５５と断熱材６１（ステンレスメッシュ８１）の下端との間の隙間部分から当該断熱材６１部分に入り込んで食害を起こしてしまうことになる。
【０００４】
なお、特許文献２に示すように、ステンレスメッシュ（８１）の下端部を折り曲げて捨てコンクリート（５５）上面にセメントで接着させることも提案されているが、上記したように捨てコンクリート（５５）の上面に凹凸が有ると、ステンレスメッシュ（８１）の下端部が捨てコンクリート（５５）上面から離れてしまう部分（隙間となる部分）が生じてしまうことがあり、シロアリは当該隙間から断熱材（６１）に入り込み食害を起こしてしまう。
【０００５】
本発明の目的は、基礎に用いられる断熱材をシロアリによる食害から確実に防止でき施工も簡単な防蟻性能を有する基礎の構築方法を提供することにある。
【課題を解決するための手段】
【０００６】
請求項１の発明は、防蟻構造を備えた基礎の構築方法において、捨てコンクリート上に一対の板状の断熱材を所定距離隔てて立設させて型枠を形成し、防蟻用のメッシュシート材をその一端部が当該型枠の外側の断熱材と当該捨てコンクリートとの間を通って当該両断熱材間のコンクリート充填空間に達しかつ他端部が当該外側断熱材の外方に配設される盛り土から所定距離だけ突出するように当該型枠の外側断熱材の外側面に沿わせ、当該両断熱材間のコンクリート充填空間にコンクリートを打設して基礎の立ち上がり部および内方の土間コンクリートを形成してなる防蟻構造を備えた基礎の構築方法である。防蟻用のメッシュシート材は、特許文献１で開示されたように、シロアリの分泌物に耐性でかつ少なくとも約７０のショワ硬度を有する耐腐食材料製とされかつ編み目の孔がシロアリ種の頭部最大寸法より小径のものを使う。
【０００７】
上記した構成の請求項１の発明の場合、上記したコンクリート充填空間にコンクリートを打設すれば、防蟻用のメッシュシート材の一端部は捨てコンクリートと打設されたコンクリート（基礎の立ち上がり部）との間に隙間なく封入される。そのため、型枠の外側の断熱材の下端面はメッシュシート材で完全に被覆されるとともにその内側面は上記基礎の立ち上がり部で完全に被覆される。なお、捨てコンクリートに凹凸があっても、外側の断熱材の下端部が直線状でなくとも、上記した外側の断熱材の下端面はメッシュシート材で完全に被覆される。また、型枠の外側の断熱材の外側面はメッシュシート材で覆われるので完全に被覆される。したがって、型枠の外側の断熱材へはシロアリはメッシュシート材に阻まれ入り込めない。なお、メッシュシート材は、コンクリート打設後に、外側の断熱材の下端面を被覆している部分よりも外側の部分を内方に折り曲げて当該断熱材の外側面に沿わせてもよく、コンクリート打設前に外側の断熱材の下端面を被覆する部分よりも外側の部分を内方に折り曲げて当該断熱材の外側面に沿わせてもよい。
【０００８】
一方、型枠の内側の断熱材は、その内側面および下端面が上記基礎の立ち上がり部と土間コンクリートと捨てコンクリートによって完全に被覆される。したがって、型枠の内側の断熱材へはシロアリは入り込めない。  以上より、シロアリによる両断熱材の食害は確実に防止される。
【発明の効果】
【０００９】
請求項１の発明によれば、施工が簡単で基礎に用いられる断熱材をシロアリによる食害から確実に防止できる。
【発明を実施するための最良の形態】
【００１０】
以下、本発明の実施の形態を図面を参照しながら説明する。
【００１１】
本発明に係る防蟻構造を備えた基礎１の構築方法は、図１に示すように、捨てコンクリート５上に一対の板状の断熱材（１１，２１）を所定距離隔てて立設させて型枠１０を形成し、防蟻用のメッシュシート材３０をその一端部３１が当該型枠１０の外側の断熱材１１と当該捨てコンクリート５との間を通って当該両断熱材（１１，２１）間のコンクリート充填空間１５に達しかつ他端部３２が当該外側断熱材１１の外方に配設される盛り土７から所定距離Ｌ２だけ突出するように当該型枠１０の外側断熱材１１の外側面１２に沿わせ、図２に示すように、当該両断熱材（１１，２１）間のコンクリート充填空間１５にコンクリートを打設して基礎１の立ち上がり部２および内方の土間コンクリート３を形成して成るものである。
【００１２】
なお、断熱材１１は、所定長さ（図１中紙面と直交方向の長さ）の板状断熱材を所定個数繋げて形成されている。また、断熱材２１も、所定長さ（図１中紙面と直交方向の長さ）の板状断熱材を所定個数繋げて形成されている。外側の断熱材１１は、その下端面１３が捨てコンクリート５の上面に当接するように配設される。内側の断熱材２１は、その下端面２３が捨てコンクリート５の上面から所定距離離れて配設される。基礎１の立ち上がり部２および内方の土間コンクリート３を一緒に形成するためである。いずれも断熱性に富む材料から形成されている。なお、両断熱材（１１，２１）の距離を一定に保つ保持部材（図示省略）が設けられている。また、コンクリート充填空間１５中へ入れられる鉄筋も図示を省略する。
【００１３】
なお、防蟻用のメッシュシート材３０は、図４に示すように、シロアリの分泌物に耐性でかつ約７０以上のショワ硬度を有する耐腐食材料製とされかつ編み目の孔３６はシロアリの進入を阻止できる大きさ（例えば、シロアリの頭部最大寸法より小径のもの）とされている。この実施形態では、メッシュシート材３０は、ステンレス鋼ワイヤー３５等から形成されている。なお、シロアリとは、シロアリ目（等翅類）の総称である。例えば、ヤマトシロアリやイエシロアリが挙げられる。
【００１４】
上記した構成の防蟻構造を備えた基礎１の構築方法は、上記したコンクリート充填空間１５に図２に示すようにコンクリートを打設すれば、防蟻用のメッシュシート材３０の一端部３１は捨てコンクリート５と打設されたコンクリート（基礎の立ち上がり部２となる）との間に隙間なく封入される。そのため、型枠１０の外側の断熱材１１の下端面１３はメッシュシート材３０で完全に被覆されるとともにその内側面は上記基礎１の立ち上がり部２で完全に被覆される。なお、捨てコンクリート５の上面に凹凸があっても、あるいは外側の断熱材１１の下端部１３が直線状でなくとも、上記した外側の断熱材１１の下端面１３はメッシュシート材３０で完全に被覆される。また、外側の断熱材１１の外側面１２の盛り土７から距離Ｌ２の部分はメッシュシート材３０で覆われるので完全に被覆される。したがって、型枠の外側の断熱材へはシロアリは、メッシュシート材３０に阻まれ入り込めない。
【００１５】
なお、メッシュシート材３０は、コンクリート打設後に、図２に示すように、外側の断熱材１１の下端面１３を被覆している部分よりも外側の部分を内方に折り曲げて当該断熱材１１の外側面１２に沿わせてもよく、コンクリート打設前に外側の断熱材１１の下端面１３を被覆する部分よりも外側の部分を内方に折り曲げて当該断熱材１１の外側面１２に沿わせてもよい。図１および図３中、３９はメッシュシート材３０を外側の断熱材１１の外側面１２に止める止め具である。また、このメッシュシート材３０の全長Ｌ０は、外側の断熱材１１の下端面１３を被覆する部分よりも外側の部分（長さＬ４）が盛り土７の捨てコンクリート５からの高さＬ１に当該盛り土７からの突出長さＬ２とを足し合わせた長さとなるように選定されている。外側の断熱材１１の外側面１２には、モルタルが塗布される（モルタル層１７）。
【００１６】
一方、型枠１０の内側の断熱材２１は、その内側面２２および下端面２３が上記基礎１の立ち上がり部２と土間コンクリート３と捨てコンクリート５によって完全に被覆される。したがって、型枠１０の内側の断熱材２１へはシロアリは勿論入り込めない。
【００１７】
以上より、シロアリによる両断熱材（１１，２１）の食害は確実に防止される。
【図面の簡単な説明】
【００１８】
【図１】本発明に係る防蟻構造を備えた基礎の構築方法を説明するための図である。
【図２】基礎の施工を説明するための図である。
【図３】基礎の施工を説明するための図である。
【図４】メッシュシート材を説明するための図である。
【図５】従来の基礎の構築方法を説明するための図である。
【図６】従来の基礎の構築方法の欠点を説明するための図である。
【図７】従来の基礎の構築方法の欠点を説明するための図である。
【図８】従来の基礎の構築方法の欠点を説明するための図である。
【符号の説明】
【００１９】
１  基礎
２  基礎の立ち上がり部
３  土間コンクリート
５  捨てコンクリート
７  盛り土
９  土台
１０  型枠
１１  外側の断熱材
１２  外側面
１３  下端面
１５  コンクリート充填空間
２１  内側の断熱材
３０  メッシュシート材
３１  一端部
３２  他端部
３５  ワイヤー
３６  網み目
【図１】
2006274545.tif 000003
【図２】
2006274545.tif 000004
【図３】
2006274545.tif 000005
【図４】
2006274545.tif 000006
【図５】
2006274545.tif 000007
【図６】
2006274545.tif 000008
【図７】
2006274545.tif 000009
【図８】
2006274545.tif 000010